(57)【要約】【課題】毛髪を梳き易くするように、櫛歯の方向を切換可能にする毛髪用櫛形吐出アダプタを提供する。【解決手段】複数個の櫛歯２５が複数個の噴射口２３と共に配列された櫛部２１を備え、吐出操作によりエアゾール容器１の頭部側の吐出パイプ部１９の先端の吐出口から吐出された内容物を櫛部２１内の共通流路２２を経由して噴射口２３から噴射させ、また櫛歯２５により毛髪を梳くようになった毛髪用櫛形吐出アダプタ２０において、櫛部２１の基部に、櫛歯２５の上向き状態で略４５°の傾斜角で下方へ延びる連結パイプ部２９が突設される。この連結パイプ部は、櫛歯２５を上向き位置から横向き位置に転向させ得るように、４５°の傾斜角の回転軸線を中心１８０°回転可能に吐出パイプ部１９に連結されると共に、この吐出パイプ部及び櫛部２１に着脱自在である。【選択図】          図１
2004337279.tif 000002
【特許請求の範囲】
【請求項１】
複数個の櫛歯が複数個の噴射口と共に配列された櫛部を備え、吐出操作により容器頭部側の吐出口から吐出された内容物を櫛部内に形成された共通流路を経由して複数個の噴射口から噴射させ、また櫛歯により毛髪を梳くようになった毛髪用櫛形吐出アダプタにおいて、
櫛部の基部に、櫛歯の上向き状態で略４５°の傾斜角で下方へ延びる連結パイプ部が突設され、
この連結パイプ部が、前記櫛歯を上向き位置から横向き位置に転向させ得るように、略４５°の傾斜角の回転軸線を中心に略１８０°回転可能に吐出口に連結されると共に、前記基部及び前記吐出口の少なくと一方に着脱自在であることを特徴とする毛髪用櫛形吐出アダプタ。
【請求項２】
略４５°の傾斜角で上方へ延び、かつ先端を吐出口とする吐出パイプ部を突設させた吐出ヘッドが、容器頭部に装着されると共に、連結パイプ部が略１８０°ずれた２個所の回転位置で拘束されるように、前記連結パイプ部及び前記吐出パイプ部の互いに対面する周面に、凹凸係合によるストッパ部が形成されていることを特徴とする請求項１記載の毛髪用櫛形吐出アダプタ。
【請求項３】
複数個の櫛歯が複数個の噴射口と共に配列された櫛部を備え、吐出操作により容器頭部側の吐出口から吐出された内容物を櫛部内に形成された共通流路を経由して複数個の噴射口から噴射させ、また櫛歯により毛髪を梳くようになった毛髪用櫛形吐出アダプタにおいて、
櫛部の基部に、その入口部の両側から一対の連結板が下設され、
吐出口の両側に位置し、かつ連結板を凹凸係合により枢着させる一対のヒンジ板を上方へ向けて突設した吐出ヘッドが、容器頭部に装着されると共に、前記入口部及び前記吐出口間が可撓性の連結チューブで連結され、
前記連結板及び前記ヒンジ板の対面領域における前記連結板の枢着位置を中心とする円状経路に、櫛歯を上向きにする回動位置及びこの回動位置から回動して横向きに転向させる回動位置に回動操作された前記連結板を凹凸係合により拘束するストッパ部が略９０°間隔の２個所に形成され、
前記連結板及び前記ヒンジ板の少なくとも一方が曲げ弾性を呈することにより、前記連結板が前記ヒンジ板に着脱自在に枢着されることを特徴とする毛髪用櫛形吐出アダプタ。
【請求項４】
櫛歯が上向きの略４５°の傾斜位置に拘束されるように、略９０°間隔のストッパ部の中間位置に、さらに凹凸係合によるストッパ部が形成されていることを特徴とする請求項３記載の毛髪用櫛形吐出アダプタ。
【請求項５】
容器が、互いに同一外形で横並びの２連式エアゾール容器であり、それぞれの頭部から突出するステムに嵌着して押下げ式に吐出操作される吐出ヘッドに、２液混合の内容物を吐出する吐出口が設けられていることを特徴とする請求項１又は請求項３記載の毛髪用櫛形吐出アダプタ。
【請求項６】
複数個の櫛歯が複数個の噴射口と共に配列されたた櫛部を備えると共に、互いに同一外形で横並びの２連式エアゾール容器の頭部からそれぞれ突出するステムに装着された吐出ヘッドの押下げ操作により、その吐出口から吐出された２液混合の内容物を櫛部内に形成された共通流路を経由して複数個の噴射口から噴射させ、また櫛歯により毛髪を梳くようになった毛髪用櫛形吐出アダプタにおいて、
櫛歯が上向きもしくは斜め上向き傾斜した櫛部の基部に、連結パイプ部が垂直下方へ突設され、
この連結パイプ部を垂直回転軸線を中心に回転可能に連結させ、かつ先端を吐出口とする吐出パイプ部が垂直上方へ向けて吐出ヘッドに突設されると共に、前記櫛歯を２連式エアゾール容器の横並び方向を向いた回転位置及びこの回転位置から略９０°回転して回転位置に転向するように、回転操作された前記連結パイプ部を凹凸係合により拘束するストッパ部が、前記連結パイプ部及び前記吐出パイプ部の対面する周面領域の２個所に形成されていることを特徴とする毛髪用櫛形吐出アダプタ。
【発明の詳細な説明】
【０００１】
【発明の属する技術分野】
本発明は、複数個の櫛歯が複数個の噴射口と共に配列された櫛部を備え、吐出操作により容器頭部側の吐出口から吐出された内容物を櫛部内に形成された共通流路を経由して複数個の噴射口から噴射させ、また櫛歯により毛髪を梳くようになった毛髪用櫛形吐出アダプタに関するものである。
【０００２】
【従来の技術】
この種の毛髪用櫛形吐出アダプタとして文献１に櫛歯が横方向を向いたもの、、文献２により僅かに上向きに傾斜したもの、或は文献４に上向きのものが周知である。これにより、操作部で例えば染毛剤を操作部の操作により容器から噴射させた後、櫛歯で頭髪を梳いて均一に着色させる。また、文献３によれば、２連式の容器に横向きの櫛歯を備えた櫛部が操作部と一体に回転可能に装着され、ロック状態の長手方向から短手方向へ回動させると缶の周面に隙間を置いてレバー操作が可能になるものが周知である。
【０００３】
【特許文献１】
特開平７−７５６０６号公報
【特許文献２】
特開平９−３０５７５号公報
【特許文献３】
特開平１１−３４２９８３号公報
【特許文献４】
特開２００２−３７２９１号公報
【０００４】
【発明が解決しようとする課題】
これらの櫛部は、容器に対して櫛歯の方向が固定であり、また回転式であっても使用可能な状態では一方向のみである。一方、頭髪を梳く際にはその位置により手で握る容器に対して横向き、上向き或は斜めのいずれであっても、頭部の全ての部位に対して梳き易いとは云えない。また、２液混合の場合、右手で２連式容器を握った場合右側頭部に対しては櫛歯が容器の長手方向に沿った方が梳き易く、左側頭部に対しては短手方向へ沿った方が梳き易いと云える。
【０００５】
本発明は、このような点に鑑みて、櫛歯の方向を上下方向或は水平方向で切換可能にする毛髪用櫛形吐出アダプタを提供することを目的とする。
【０００６】
【課題を解決するための手段】
本発明は、この櫛歯の方向を上下方向で切換可能にする目的を達成するために、請求項１により、複数個の櫛歯が複数個の噴射口と共に配列された櫛部を備え、吐出操作により容器頭部側の吐出口から吐出された内容物を櫛部内に形成された共通流路を経由して複数個の噴射口から噴射させ、また櫛歯により毛髪を梳くようになった毛髪用櫛形吐出アダプタにおいて、櫛部の基部に、櫛歯の上向き状態で略４５°の傾斜角で下方へ延びる連結パイプ部が突設され、この連結パイプ部が、櫛歯を上向き位置から横向き位置に転向させ得るように、略４５°の傾斜角の回転軸線を中心に略１８０°回転可能に吐出口に連結されると共に、基部及び吐出口の少なくと一方に着脱自在であることを特徴とする。連結パイプ部がその傾斜角の回転軸線を中心に略１８０°回転されると、櫛歯の突出している方向が上向き位置から横向き位置に転向される。連結パイプ部が着脱自在であることにより、洗浄等のために櫛形吐出アダプタは容器側から離脱させることができる。
【０００７】
同様に、櫛歯の方向を上下方向で切換可能にする目的を達成するために、請求項３により、複数個の櫛歯が複数個の噴射口と共に配列された櫛部を備え、吐出操作により容器頭部側の吐出口から吐出された内容物を櫛部内に形成された共通流路を経由して複数個の噴射口から噴射させ、また櫛歯により毛髪を梳くようになった毛髪用櫛形吐出アダプタにおいて、櫛部の基部に、その入口部の両側から一対の連結板が下設され、吐出口の両側に位置し、かつ連結板を凹凸係合により枢着させる一対のヒンジ板を上方へ向けて突設した吐出ヘッドが、容器頭部に装着されると共に、入口部及び吐出口間が可撓性の連結チューブで連結され、連結板及びヒンジ板の対面領域における連結板の枢着位置を中心とする円状経路に、櫛歯を上向きにする回動位置及びこの回動位置から回動して横向きに転向させる回動位置に回動操作された連結板を凹凸係合により拘束するストッパ部が略９０°間隔の２個所に形成され、連結板及びヒンジ板の少なくとも一方が曲げ弾性を呈することにより、連結板がヒンジ板に着脱自在に枢着されることを特徴とする。連結板の上下方向の回動操作で、櫛歯の方向が上向き位置から横向き位置に転向され、その位置に拘束される。円状経路にストッパ部を追加することにより、途中の斜め方向にも拘束転向できる。
【０００８】
斜め上向きもしくは横向きの櫛歯の方向を水平方向で切換可能にする目的を達成するためには、請求項６により、複数個の櫛歯が複数個の噴射口と共に配列されたた櫛部を備えると共に、互いに同一外形で横並びの２連式エアゾール容器の頭部からそれぞれ突出するステムに装着された吐出ヘッドの押下げ操作により、その吐出口から吐出された２液混合の内容物を櫛部内に形成された共通流路を経由して複数個の噴射口から噴射させ、また櫛歯により毛髪を梳くようになった毛髪用櫛形吐出アダプタにおいて、櫛歯が上向きもしくは斜め上向き傾斜した櫛部の基部に、連結パイプ部が垂直下方へ突設され、この連結パイプ部を垂直回転軸線を中心に回転可能に連結させ、かつ先端を吐出口とする吐出パイプ部が垂直上方へ向けて吐出ヘッドに突設されると共に、櫛歯を２連式エアゾール容器の横並び方向を向いた回転位置及びこの回転位置から略９０°回転して回転位置に転向するように、回転操作された連結パイプ部を凹凸係合により拘束するストッパ部が、連結パイプ部及び吐出パイプ部の対面する周面領域の２個所に形成されていることを特徴とする。連結パイプ部を垂直回転軸線を中心に略９０°回転させることにより、櫛歯は２連式エアゾール容器の横並び方向を向いた回転位置及び略９０°回転した回転位置間で転向されてストッパ部で拘束される。
【０００９】
【発明の実施の形態】
図１乃至図３を基に本発明の実施の形態の一例による毛髪用櫛形吐出アダプタを説明する。エアゾール容器１には、例えば染毛剤が噴射剤の混合で自噴可能に充填され、その頭部には内部に弁機構を備え、上方付勢状態でステム３を突出させるマウンティングカップ２が装着されている。ステム３には吐出ヘッド１０が嵌着されると共に、この吐出ヘッドに、両側の側板２４間の表面２１ａに２列に直交方向へ突設された複数個の櫛歯２５と、その間の複数個の噴射口２３とが配列された櫛部２１を備えた櫛形吐出アダプタ２０が着脱自在に装着されるようになっている。
【００１０】
吐出ヘッド１０は、基端部の凸部１１ａでマウンティングカップ２のカール部２ａの外周凹部に係合し、かつ周囲にフランジ部１１ｂが形成された肩カバー部１１を備えると共に、その肩カバー上面には、垂直パイプ部１８及びこの垂直パイプ部に連続して略４５°の傾斜角で上方へ延び、かつ先端を吐出口とする吐出パイプ部１９が形成されると共に、内部にステム嵌着部１５が収納されている。このステム嵌着部はレバー状に形成され、その中央部裏面でステム３に嵌着する嵌着部１５ａと、その中央部表面で上方へ突出し、垂直パイプ部１８の内周面に先端部でシール状態で摺動可能に当接する摺動パイプ部１５ｂと、肩カバー部１１の開口部１１ｃから、図３に示すように、外部に突出し、かつ反対端に肩カバー上面の裏側に当接して揺動支点となる突起部１１ｄを有する操作部１６とを備えている。
【００１１】
櫛部２１の内部には、複数個の噴射口２３に連通するＴ字形の共通流路２２が形成され、基部には、パイプ状の入口部２６が垂直下方へ突設されている。この入口部には、図２に示すように、垂直パイプ部２９ａと略４５°の傾斜角で下方へ延びる傾斜パイプ部２９ｂとでくの字形に形成された連結パイプ部２９が連結されている。垂直パイプ部２９ａの先端には切込み部２９ｃが９０°間隔で形成され、入口部２６の外周面に形成された細片状の係合突起２６ａに凹凸係合して廻止めされる。同様に、傾斜パイプ部２９ｂの基端には切込み部２９ｄが９０°間隔で形成され、吐出パイプ部１９のシール部１９ｂを有する外周面の基端部分に形成された係合突起１９ａに凹凸係合して廻止めされる。
【００１２】
これにより、連結パイプ部２９の垂直パイプ部２９ａは入口部２６に、また傾斜パイプ部２９ｂは吐出パイプ部１９にそれぞれ抜差し自在にシール状態で同軸状に嵌合して廻止めされる。係合突起２６ａは、切込み部２９ｃとの係合状態で、傾斜パイプ部２９ｂを櫛部２１の長手方向へ揃えるように位置設定されている。また、係合突起１９ａは、傾斜パイプ部２９ｂの切込み部２９ｄとの係合状態で、１８０°ずれる２個所のいずれの回転位置に在るかに応じて、櫛歯２５を垂直上方を向いた位置及び横向きにする回転位置間で切換え可能に位置設定され、また櫛部２１の長手方向をレバー状の操作部１６に揃えるようにもなっている。
【００１３】
このように構成された毛髪用櫛形吐出アダプタの動作は次の通りである。図１で実線で示す状態で、櫛形吐出アダプタ２０は、連結パイプ部２９が櫛部２１の長手方向をレバー状操作部１６の長手方向に一致させる回転位置で吐出パイプ部１９に連結されている。この櫛歯２５が垂直上方を向いた状態では、右手でエアゾール容器１を握り、特に右側頭部の毛髪に対して櫛歯２５を向けて、操作部１６の押下げ操作で染毛剤を噴射し後に毛髪を梳く。これにより、エアゾール容器１を握った手首を曲げずに腕を自然に曲げて容易に毛髪を梳くことができる。
【００１４】
左側頭部、後頭部及び頭頂部に対しては、櫛形吐出アダプタ２０を吐出ヘッド１０から、即ち連結パイプ部２９を吐出パイプ部１９から抜いて離脱させ、連結パイプ部２９を略４５°の傾斜角の回転軸線を中心に１８０°回転させて吐出パイプ部１９に再装着することにより、櫛歯２５をエアゾール容器１の縦方向に揃えて横向きに転向させる（図１の２点鎖線参照）。これにより、エアゾール容器１を握り、特に右側頭部の領域以外を容易に梳くことができる。
【００１５】
櫛形吐出アダプタ２０を洗浄する場合にも、吐出ヘッド１０から外すことができる。その際、連結パイプ部２９を入口部２６から離脱させて、櫛部２１から分離して洗浄することもできる。
【００１６】
図４及び図５は別の実施の形態による毛髪用櫛形吐出アダプタを示すもので、前述のものと同一もしくは同等部分は同一符号で説明する。櫛形吐出アダプタ４０の基部には、そのパイプ状入口部４１の両側から一対の連結板４２が垂直下方へ向けて突設されている。一方、吐出ヘッド３０の肩カバー部１１の上面には、ステム嵌着部１５の摺動パイプ部１５ｂを内周面に当接させる垂直の吐出パイプ部３８と、その両側に位置して連結板４２を挟持する一対のヒンジ板３３とが垂直上方へ向けて突設されている。入口部４１及び吐出パイプ部３８には、可撓性の連結チューブ３９の端部が嵌入され、摺動パイプ部１５ｂ及び共通流路２２間を連通させている。
【００１７】
連結板４２のヒンジ板３３に対する枢着位置には枢着ピン４３が突設され、対応位置のヒンジ板３３の凹部３５に係入して枢着されている。ヒンジ板３３の枢着位置を中心とする円状経路における垂直上方位置、４５°ずれた回転位置、９０°ずれた回転位置には、凹部３６，３６ａ，３６ｂが３個形成され、櫛歯２５が上向き位置を占めた状態での連結板４２の枢着ピン４３の上方位置には、３個の凹部３６，３６ａ，３６ｂに選択的に凹凸係合し、かつ枢着ピン４３よりも突出量が少ない突起４５が形成され、４５°間隔のストッパ部を形成している。
【００１８】
図示の実線位置では、櫛歯２５はエアゾール容器１の縦方向に沿って上向き位置に設定されている。一対の連結板４２を指で摘んで撓ませて、その間隔を僅かに狭くすることにより、突起４５を凹部３６から離脱し易くした状態で回動操作することにより、突起４５を４５°又はさらに９０°回転させた位置の凹部３６ａ，３６ｂに係合させることができる。これにより、櫛歯２５は染毛領域に応じて上向き位置、斜め向き（図示の２点鎖線位置参照）、横向きの３段階に転向可能となる。連結板４２の取外し操作は、指で摘んで間隔をさらに狭くして枢着ピン４３を凹部３５から離脱させることにより、容易に行うことができる。
【００１９】
尚、この実施の形態において、ヒンジ板が連結板を挟持することにより、連結板を握って撓ませつつ回動操作できるが、場合によりヒンジ板を逆に連結板で挟持させる場合には、少なくともヒンジ板が曲げ弾性を呈する方が着脱及び回動操作上好ましい。
【００２０】
また、前述の双方の実施の形態による櫛形吐出アダプタは、互いに同一外形で横並びの２連式エアゾール容器のそれぞれの頭部から突出するステムに嵌着して押下げ式に吐出操作される吐出ヘッドの吐出口に着脱自在に装着することもできる。さらに、前述の双方の実施の形態に代えて、本発明の櫛形吐出アダプタは、エアゾール容器に限らず、同様に押下げ操作により内容物を吐出パイプ部から吐出するポンプ用、圧搾により吐出パイプ部から吐出する圧搾式容器用の吐出ヘッドに対して着脱自在に装着するように構成することもできる。
【００２１】
図７乃至図９はさらに別の実施の形態による２連式容器用の櫛形吐出アダプタを示す。互いに同一外形で横並びの２連式のエアゾール容器１が、それぞれのマウンティングカップ２を締付け具４で固定した状態で容器５９に収納されている。吐出ヘッド５０は、容器５９の上端部に装着され、かつ上面に垂直上方へ向けて吐出パイプ部５２が突設されたカバーキャップ部５１を備えると共に、内部にはステム嵌着部５５を収納して構成されている。このステム嵌着部は、両側にステム３に対する嵌着部５６ａが形成され、その間に双方の内容物を混合する混合用流路部５６が形成され、中央部表面には吐出パイプ部５２の内周面に先端部で摺動可能に当接する摺動パイプ部５７が形成されている。さらに、ステム嵌着部５５の長手方向の中間部にはレバー状操作部５８が側面へ向けて突設され、図８に示すように、カバーキャップ部５１の開口部５１ａから外部に突出している。
【００２２】
櫛歯２５の方向が略４５°の上向きに傾斜した櫛形吐出アダプタ６０の櫛部２１の基部に、連結パイプ部６１が垂直下方へ突設され、吐出パイプ部５２の外周面にシール状態で着脱自在に嵌合するようになっている。連結パイプ部６１は、吐出パイプ部５２とカップリングパイプ６５を介して連結されるようになっており、その周面には連結パイプ部６１の着脱操作を行わせるフランジ状の操作部６６が形成されると共に、先端には連結パイプ部６１の細片状の係合突起６１ａに係合する切込み部６５ａが９０°間隔で形成され、基端には吐出パイプ部５２の係合突起５２ａに係合する切込み部６５ｂが９０°間隔で形成されて廻止めされている。
【００２３】
図７及び図８に示すように、櫛部２１の長手方向が容器５９の長手方向に揃った状態で、右手で容器５９を握り、特に左側頭部、後頭部及び頭頂部に対しては操作部５８の押下げ操作で染毛剤を噴射させた後に毛髪を梳く。右側頭部領域を梳くのを容易にするには、操作部６６に指を掛けて挟んでカップリングパイプ６５を上方へ引抜いて、櫛形吐出アダプタ６０を吐出ヘッド５０から外し、次いで９０°を回転させて切込み部６５ｂを係合突起５２ａに係合させて、図９に示すように、櫛部２１の長手方向を略４５°の傾斜状態のまま容器５９の長手方向に直交させ、櫛歯２５を短手方向へ向ける。
【００２４】
尚、前述の実施の形態において、吐出アダプタの櫛部表面、即ち櫛歯方向は、上向き傾斜に限らず、横向きに形成することもできる。また、連結パイプ部６１及び吐出パイプ部５２間に、カップリングパイプ６５を介在させることにより、双方の連結構造を容易に製造可能にするが、カップリングパイプを廃止して一方に係合突起、他方に切込み部を形成する等で直接連結することも可能である。
【００２５】
【発明の効果】
請求項１の発明によれば、吐出部に着脱自在に装着される櫛形吐出アダプタの櫛歯が上向き位置から横向き位置に転向可能となり、全頭部に対して無理な手首或は腕の姿勢無しで毛髪を梳くことが可能となる。その際、請求項２の発明によれば、抜差し操作により容易に転向可能となり、切換位置に安定にセットすることができる。
【００２６】
請求項３の発明によれば、回動操作により櫛歯の方向が上向き位置から横向き位置に転向可能となり、また洗浄時には連結板を撓ませて簡単に取外すことができる。その際、請求項４の発明によれば、上向き位置及び横向き位置間の傾斜位置にも拘束状態で転向可能となる。
【００２７】
請求項５の発明により、縦幅及び横幅が異なる２液混合用の２連式エアゾール容器に対しても櫛歯が上向き及び横向き間で転向可能となる。請求項６の発明によれば、２連式エアゾール容器に対して、櫛歯の突出方向を２連容器の横並びの長手方向に揃った方向から直交する方向へ転向拘束可能となる。
【図面の簡単な説明】
【図１】本発明の実施の形態による毛髪用櫛形吐出アダプタの断面図である。
【図２】同吐出アダプタの連結部分の分解した側面図である。
【図３】同吐出アダプタの平面図である。
【図４】別の実施の形態による毛髪用櫛形吐出アダプタの断面図である。
【図５】図４による毛髪用櫛形吐出アダプタの背面図である。
【図６】図４による毛髪用櫛形吐出アダプタの部分断面図を示すもので、同図ＡはＡ線断面図、同図ＢはＢ線断面図である。
【図７】さらに別の実施の形態による２連式毛髪用櫛形吐出アダプタの断面図である。
【図８】図７による毛髪用櫛形吐出アダプタの平面図である。
【図９】図７による毛髪用櫛形吐出アダプタの正面図である。
【符号の説明】
１  エアゾール容器
３  ステム
１０，３０，５０  吐出ヘッド
１６，５８  操作部
１９，３８，５２  吐出パイプ部
１９ａ，２６ａ，５２ａ，６１ａ  係合突起
２０，４０，６０  櫛形吐出アダプタ
２１  櫛部
２２  共通流路
２３  噴射口
２５  櫛歯
２９，６１  連結パイプ部
２９ｃ，２９ｄ，６５ａ，６５ｂ  切込み部
３３  ヒンジ板
３６，３６ａ，３６ｂ  凹部
３９  連結チューブ
４２  連結板
４５  突起
【図１】
2004337279.tif 000003
【図２】
2004337279.tif 000004
【図３】
2004337279.tif 000005
【図４】
2004337279.tif 000006
【図５】
2004337279.tif 000007
【図６】
2004337279.tif 000008
【図７】
2004337279.tif 000009
【図８】
2004337279.tif 000010
【図９】
2004337279.tif 000011